(57)【要約】【課題】  製造が簡単であって、手工具の柄杆と柄をより強く確実に固定し、安定した使用状態を維持することができる、手工具の柄を実現する。【解決手段】  手工具の柄杆１の中子部1aを、先方部分に軸方向の切り込み３を設けた支持体２の中心部軸方向に緊密状態で貫通させる。切り込み３を形成した支持体２の先方から支持体２の外面に締付け筒４を嵌挿することによって、手工具の柄杆１と支持体２と締付け筒４を締付け固定させるとともに、締付け筒４の外表面に握り部を形成する。握り部として、締付け筒４の外表面に、合成樹脂材もしくはゴム質材で形成した筒状のカバー５を装着する。【選択図】  図１
0003112129.tif 000002
【実用新案登録請求の範囲】
【請求項１】
手工具の柄杆の中子部を、先方部分に軸方向の切り込みを設けた支持体の中心部軸方向に緊密状態で貫通させ、切り込みを形成した支持体の先方から支持体の外面に締付け筒を嵌挿することによって、手工具の柄杆と支持体と締付け筒を締付け固定し、締付け筒の外表面に握り部を形成したことを特徴とする手工具の柄。
【請求項２】
先方に切り込みを形成する支持体を合成樹脂材で成型し、その先端に面取りもしくはテーパ部を形成するとともに、支持体の外径は切り込みを設けた先方部分よりも基端部分を大径としたことを特徴とする手工具の柄。
【請求項３】
締付け筒の外表面に、合成樹脂材もしくはゴム質材で形成した筒状のカバーを装着して握り部を形成したことを特徴とする請求項１又は２記載の手工具の柄。
【考案の詳細な説明】
【技術分野】
【０００１】
この考案は、草削り具や鎌など、手工具の柄杆部に装着する、手工具の柄の構造に関する考案である。
【背景技術】
【０００２】
従来、手工具の柄の取り付け構造として、例えば木柄の先端に、先細や楔状に形成した手工具の柄杆先端部分(中子部分)を打ち込み、木柄の先端に口金を嵌めることによって柄杆の抜け出しを防止していた。また、柄の先端に切り込みを形成し、この切り込みに手工具の柄杆の先端部を挿入し、柄杆先端部分(中子部分)と木柄とにボルトやピンを貫通させて固定する方法などが知られている。
【考案の開示】
【考案が解決しようとする課題】
【０００３】
上記、従来の柄構造では、木柄の割れや乾燥による寸法変化などによって、木柄と柄杆先端部の締付け状態が安定せず、使用中に柄から柄杆、すなわち手工具が抜け落ちる他、締付けが十分でないため、ガタツキを生じ易いという欠点があった。このような、従来技術の欠点に鑑み、本考案は製造が簡単であって、手工具の柄杆と柄をより強く確実に固定し、安定した使用状態を維持することができる、手工具の柄を実現することを目的とするものである。
【課題を解決するための手段】
【０００４】
上記目的を達成するため、本考案は手工具の柄杆１の中子部1aを、先方部分に軸方向の切り込み３を設けた支持体２の、中心部軸方向に緊密状態で貫通させる。その状態で、切り込み３を形成した支持体２の先方から、支持体２の外面に締付け筒４を嵌挿することによって、手工具の柄杆１と支持体２と締付け筒４を締付け固定し、締付け筒の外表面に握り部を形成する。
締付け筒４の外表面に握り部を形成するには、例えば合成樹脂材もしくはゴム質材で形成した筒状のカバー５を装着して握り部を形成する。
【０００５】
先方に切り込み３を形成する支持体２は、木質材であってもよいが、好ましくは合成樹脂材で成型する。また、その先端に面取り６もしくはテーパ部を形成するとともに、支持体２の外径は切り込み３を設けた先方部分よりも基端部分を大径とする。
【考案の効果】
【０００６】
請求項１記載の本考案手工具の柄によれば、第一に手工具の柄杆１の中子部1aを、先方部分に軸方向の切り込み３を設けた支持体２の、中心部軸方向に緊密状態で貫通させる。これにより、ある程度安定した装着状態を実現する。その上で、切り込み３を形成した支持体２の先方から支持体２の外面に締付け筒４を嵌挿する。これにより、支持体２による柄杆１の締付け状態が強化され、柄杆１と支持体２及び締付け筒４は強固に固定され、使用中に抜け落ちるようなことがない。
【０００７】
請求項２記載の考案によれば、先方に切込み３を形成する支持体２を合成樹脂材で成型することによって、安定した一定寸法の支持体２を得る。そして、支持体２と締付け筒４は無理嵌めするものであるが、その先端に面取り６もしくはテーパ部を形成することによって、支持体２に対して締付け筒４を容易に挿入することができる。さらに、支持体２の外径は切り込み３を設けた先方部分よりも基端部分を大径とすることによって、より強く締付け、強固な固定状態を実現することができる。
【０００８】
把持柄として、締付け筒４の外表面を直接握るものであってもよいが、請求項３記載の考案によれば、合成樹脂材もしくはゴム質材で形成した筒状のカバー５を、締付け筒４の外表面に装着して握り部を形成することによって、より使い易い柄を実現することができる。
【考案を実施するための最良の形態】
【０００９】
以下、本考案に係る手工具の柄の好ましい実施形態を添付の図面に基づいて説明する。
図１は、本考案を実施する手工具全体の分解斜視図、図２は、一部を切断した手工具全体の正面図である。
【００１０】
図示実施形態の手工具は、柄杆１の先端に草削りのための刃板７を固定した草削り具である。この草削り具は、柄杆１の基部に形成した把持部を持って、先端に固定した刃板７によって地上の雑草を削り取るように使用するもので、柄杆１の基部には、握り易い形状及び丈夫な構造の把持部が形成されている。
【００１１】
柄杆１の基端部に形成する把持部構造は、柄杆１の中子部1aに装着する支持体２と、支持体２に装着する締付け筒４と、締付け筒４に装着するカバー５で構成されている。
すなわち、図面上断面形状が四角形の柄杆１の基端部である中子部1aに、円柱状の支持体２を装着する。中子部1aに支持体２を装着するには、円柱状の支持体２の中心位置に、軸方向の角孔８を穿設しておき、この角孔８に中子部1aを緊密状態で貫通させる。緊密状態とは、中子部1aと角孔８の寸法関係が無理嵌め、もしくは挿入時にガタツキを生じるような遊び嵌めではないことを意味する。
【００１２】
上記、中心位置に軸方向の角孔８を穿設した支持体２の先方部分には、先端からほぼ中間位置に達する切込み３を形成している。また、支持体２の先端には、やや大きな面取り６を施すとともに、基端部(上端)に外鍔９を形成している。この形状の支持体２は、やや軟質の合成樹脂材で一体に形成することによって、小さめに穿設した角孔８に柄杆１の中子部1aを無理嵌めすることができる。円中状に形成する支持体２は、上部の外径を下部の外径よりも僅かに大きなものとている。
【００１３】
支持体２には、下(基端)方向から金属製の締付け筒４、具体的にはステンレスパイプを無理嵌め状態に装着する。締付け筒４の内径は、支持体２の外径よりも僅かに小さく形成している。これにより、締付け筒４を支持体に装着することによって、柄杆１の中子部1aが締付けられてしっかりと保持され、抜け落ちたりガタツキを生じることがなくなり、安心して使用することができる。
【００１４】
支持体２に締付け筒４を装着するに際して、支持体２の下端にやや大きめの面取り８もしくはテーパ部を形成することによって、容易に挿入することができ、切込み３を形成することによって、支持体２の変形を許容し、締付け筒４の挿入がより容易であるとともに締付け効果が大きなものとしている。いずれにしても、締付け筒４は支持体２の下方から、強い力で挿入して支持体２は変形状態となって、柄杆１の中子1a部に確実に保持される。
このとき、支持体２の上端に外鍔９が形成されていることによって、締付け筒の挿入位置が決まり、製造が容易で外観的にも見栄えの良いものとすることができる。
【００１５】
上記、締付け筒４を装着することによって、柄杆1aと支持体２及び締付け筒４は、強固な状態で一体的に形成される。そのため、締付け筒４を持って手工具として使用することが可能である。すなわち、締付け筒４の外表面を、把持柄として適した表面仕上げにすることで、そのまま製品化することも可能である。
【００１６】
しかしながら、図示実施形態では、合成樹脂材で成型したカバー５を装着して把持部を形成している。カバー５は、締付け筒４に対して簡単に外れない程度に固着されているのが望ましく、例えば締付け筒４とカバー５は接着剤によって一体的に固定する。
カバー５の下端には、フックなどにぶら提げる他、下げ紐を取付けるための貫通孔10を形成してある。また、カバー５の外表面は、手が滑らないように、縦方向の凹溝11を形成している。カバー５は、手工具の種類などに応じて、使い易い材質、形状とすることができる。
【００１７】
カバー５を装着する代わりに、締付け筒４の外表面に、クッション材を付着させるような表面仕上げを施すことや、溶融した塩化ビニール樹脂材の中に挿入して、全体に合成樹脂材を付着させて把持部を形成することもできる。
【００１８】
図示実施形態は、手工具として草削り具に応用した状態を示しているが、本考案は鎌やスコップなど園芸用手工具、あるいは、工作用の手工具の柄構造として応用することができるものである。
【図面の簡単な説明】
【００１９】
【図１】図１は、本考案を実施する手工具全体の分解斜視図、
【図２】図２は、本考案を実施する手工具全体の一部を切断した正面図である。
【符号の説明】
【００２０】
１…柄杆、  1a…中子部、  ２…支持体、  ３…切込み、  ４…締付け筒、  ５…カバー、  ６…面取り、  ７…刃板、  ８…角孔、  ９…外鍔、  10…貫通孔、  11…凹溝。
【図１】
0003112129.tif 000003
【図２】
0003112129.tif 000004
【手続補正書】
【提出日】平成17年4月13日(2005.4.13)
【手続補正１】
【補正対象書類名】実用新案登録請求の範囲
【補正対象項目名】全文
【補正方法】変更
【補正の内容】
【実用新案登録請求の範囲】
【請求項１】
草刈り具など園芸用手工具の柄杆の中子部を、先方部分に軸方向の切り込みを設けた支持体の中心部軸方向に緊密状態で貫通させ、切り込みを形成した支持体の先方から支持体の外面に締付け筒を嵌挿することによって、手工具の柄杆と支持体と締付け筒を締付け固定し、締付け筒の外表面に握り部を形成したことを特徴とする手工具の柄。
【請求項２】
先方部分に切り込みを形成する支持体を合成樹脂材で成型し、その先端に面取りもしくはテーパ部を形成するとともに、支持体の外径は切り込みを設けた先方部分よりも基端部分を大径としたことを特徴とする請求項１記載の手工具の柄。
【請求項３】
締付け筒の外表面に、合成樹脂材もしくはゴム質材で形成した筒状のカバーを装着して握り部を形成したことを特徴とする請求項１又は２記載の手工具の柄。
【手続補正２】
【補正対象書類名】明細書
【補正対象項目名】０００２
【補正方法】変更
【補正の内容】
【０００２】
従来、草刈り具など園芸用手工具の柄の取り付け構造として、例えば木柄の先端に、先細や楔状に形成した手工具の柄杆先端部分(中子部分)を打ち込み、木柄の先端に口金を嵌めることによって柄杆の抜け出しを防止していた。また、柄の先端に切り込みを形成し、この切り込みに手工具の柄杆の先端部を挿入し、柄杆先端部分(中子部分)と木柄とにボルトやピンを貫通させて固定する方法などが知られている。
【手続補正３】
【補正対象書類名】明細書
【補正対象項目名】００１８
【補正方法】変更
【補正の内容】
【００１８】
図示実施形態は、手工具として草削り具に応用した状態を示しているが、本考案は鎌やスコップなどの園芸用手工具の柄構造として応用することができるものである。